(57)【要約】      （修正有）【課題】一般市場に出回っている従来の便座で洗浄動作を行った後に、小さく丸く成型した粒状のトイレットペーパーを数多く含んだ温風をでん部に吹き当てることで排せつ物の除去と水分の乾燥を行う装置を提供する。【解決手段】トイレットペーパーストックルーム２２が常に満杯状態になるようにローラ２a、２b、粉砕器３a、３b、成形回転子５、６が動作し、使用者の洗浄動作終了後スイッチ操作でトイレットペーパーストックルームの粒状トイレットペーパーを一気に噴出させる。【選択図】図１
2017077448.tif 000002
【特許請求の範囲】
【請求項１】
乾燥のための温風に粒状トイレットペーパー７を多数乗せて、
でん部に吹き当てることで排せつ物の除去と水分の吸収及び乾燥を可能にする装置である。
【請求項２】
一般に使用されているロール状トイレットペーパー１をそのまま使用することが可能で、主に粉砕器と成型器及び噴出部を提供する。
【請求項３】
粉砕器と成型器のない形の場合で図１０も可能で、
球状トイレットペーパー７と粒状トイレットペーパー事前材料収納箱２７及び噴出部で構成する装置を提供する。
【請求項４】
噴出部に於いて粒状トイレットペーパー吹き出し管２８と温水放出管８の一体型に対してセパレート型として図７を提供する。
【発明の詳細な説明】
【技術分野】
【０００１】  この発明は便座の自動化であり排せつ後の処理を使用者及び介護をする方の負担を軽くするための装置に関するものである。
【背景技術】
【０００２】  従来の便器は温水による洗浄及び温風による乾燥が主流で近年は汚物の拭き取りなどの装置が存在した。
【先行技術文献】
【特許文献】
【０００３】
【特許文献１】特開２０１４−２３３３０９
【特許文献２】特開２０１５−６２７１２
【特許文献３】特開２０１５−１０４６１７
【発明の概要】
【発明が解決しようとする課題】
【０００４】  これは次のような欠点があった。
（イ）従来の便座は人間が排せつ物を拭き取る作業を機械的に行うものが存在したが人間が行う繊細な手作業にはとても及ばないため、単純動作に止まざるを得ない。
（ロ）単純動作とは言え機械構造的には複雑なものになる。これは耐久性に逆行すると同時にコストアップに繋がり、設備投資の視点からも問題がある。
（ハ）自動拭き取り便座の場合はアームの動作のためトラブル要因が少なくない。従って現場では使用者や介護者にとって負担が軽くなるどころか機械のトラブルに対応しなければならない可能性が十分に考えられる。
（二）使用者或いは介護者は言うまでもなく人間であるため決まりきった操作や動きをしてもらえないことを、前提にしなければならない。そのため現場で使用する装置としてはシンプルで使いやすいことが重要な条件である。
よって、アームによる拭き取り装置には現場に於ける問題点が数多く存在する。
そこで、本発明は、以上のような欠点をなくすためになされたものである。
【課題を解決しようとする手段】
【０００５】本発明は排便に使用する便器を自動化するもので介護の必要な方々に対して使用者及び介護する側の負担を軽くすることにあり、尚且つ快適な排便に繋がることを目的とした構造及び動作を提供する。
【０００６】  可動部を極力少なくした単純な構造にし、洗浄後に乾燥させるためロールペーパーを粒状に加工し、温風を用いて汚物の処理を行うことで信頼性を向上させる。
そして同時に製造コストを抑えることを可能にする。
【０００７】基本的には排せつ物の取り除きは洗浄で行う。これは従来通りであるが本発明はでん部に付いた排せつ物及び水分を数多くの粒状トイレットペーパー２９を含んだ温風をでん部に吹き当てることで取り除くことにある。
【発明の効果】
【０００８】    （イ）主に介護をする方の負担を軽くすること或いは手間を掛けることなく排せつ物の処理が出来るため自宅や介護施設などの自動化が進むことで合理化が進む。
（ロ）基本的には従来市販されている便座に於いて本発明の装置を追加することとするが、水回りや消耗品であるロール状トイレットペーパー１は一般市場から入手しやすい従来のものを使用する。
【図面の簡単な説明】
【０００９】
【図１】  全体側面透視図で主に本発明の部分であり給水ポンプ等は省略している。
【図２】  全体正面透視図で主に本発明の部分であり給水ポンプ等は省略している。
【図３】  全体平面透視図で主に本発明の部分であり給水ポンプ等は省略している。
【図４】  本発明の部分のみの正面拡大図である。
【図５】  本発明の部分のみの側面拡大図である。
【図６】  本発明の部分のみの平面拡大図である。
【図７】  本発明の部分のみの平面拡大図で粒状ペーパー吹き出し管２８と温水放出管８のセパレート図である。
【図８】  図９のＡ−Ａ断面図
【図９】  成型回転外枠５，成型回転内枠６
【図１０】  粒状トイレットペーパー収納箱２７を使用した場合の図
【発明を実施するための形態】
【００１０】  粒状トイレットペーパー２９を含んだ温風の強弱や温風のみの場合などの動作に加えてそれぞれのＯＮ／ＯＦＦも含めたコントロールの全ては小型コンピュータで行う。
【００１１】ローラー２ａ，２ｂで送り込まれたトイレットペーパーがロール状粉砕歯Ａ３ａ，Ｂ３ｂに取り込まれて粉砕する構造になっている。結果的にトイレットペーパーは細かなチップ状に粉砕する。
【００１２】粉砕後のトイレットペーパー４を成型器で粒状にする。
【００１３】基本的には排せつ物の取り除きは洗浄で行う。これは従来通りであるが本発明はでん部に付いた排せつ物及び水分を数多くの粒状トイレットペーパー２９を含んだ温風をでん部に吹き当てることで取り除くことにある。
【００１４】同温風は同時に外部に粒状トイレットペーパー２９が飛び出さない様な構造及びコントロールをする。
【００１５】この粒状トイレットペーパー２９はそのまま落下し、排水に溶け込む。
【００１６】粒状トイレットペーパー２９は必ずしも紙でなくてもよくて吸水性があればより良い。
本発明は、以上の動作及び構成よる便座である。
【００１７】  以下、本発明を実施するための形態について説明する。本発明は従来の便座そのものものを基本に機能を追加するもので、トイレットペーパーも基本的には従来通りのもので使用者が一般に入手しやすいものを使用する。そのトイレットペーパーを粉砕する装置とそれを粒状トイレットペーパー２９に成型するための装置及びそれを噴出するための排出部などで構成している。
＜第１実施形態＞
【００１８】小さく丸めた粒状トイレットペーパー２９を数多く自動作成し、これを従来通りの洗浄動作の後に温風に乗せてでん部に吹き当てることで、排せつ物の取り除き及び水分の除去を行う。
【００１９】  粒状トイレットペーパー２９は常に粒状トイレットペーパーストックルーム２２が満杯になるようにローラーＡ２ａ，Ｂ２ｂ、粉砕器及び成型器の機構が動作する。
【００２０】  粒状トイレットペーパー２９は粒状トイレットペーパーストックルーム２２に溜めて置き使用するときに一気に出す。トイレットペーパーはトイレットペーパーストックルーム２２が常に満杯状態になるようにローラー２、粉砕器３、成型回転子５、６が動作する。満杯になると停止する。
【００２１】  粒状トイレットペーパー２９は常に球体トイレットペーパーストックルーム２２が満杯になるように粉砕器及び成型の機構が動作する。
【００２２】これを使用するときは使用者或いは介護者がロール状トイレットペーパー１をローラー２ａ，２ｂにセッティングするだけで装置が判断し自動的にローラー２ａ，２ｂや粉砕器のロール状粉砕歯Ａ３ａ，Ｂ３ｂが作動する。
【００２３】使用者は洗浄スタートスイッチを押すことで、洗浄動作が開始する。その後、粒状ペーパー噴出スイッチを押すことで粒状トイレットペーパーストックルーム２２にある粒状トイレットペーパー２９を一気に噴出させる。
【００２４】＜第２実施形態＞
粒状トイレットペーパーストックルーム２２に粒状トイレットペーパー２９が少なくなると自動的に粉砕動作が開始する。
【００２５】粒状トイレットペーパー２９と記述している素材については必ずしもトイレットペーパーでなくてもよく、ある種の塊を当てる形態でも可能であることを提供する。
【００２６】ロール状トイレットペーパー１、ローラーＡ２ａ，Ｂ２ｂ、ロール状粉砕歯Ａ３ａ，Ｂ３ｂ、成型器５、６等の装置をなくして、別途事前に成型済みの材料である粒状トイレットペーパー２９を準備しておき図１０のように配置する方法も可能であることを提供する。
＜第３実施形態＞
【００２７】粒状トイレットペーパー事前材料２５は、ロール状トイレットペーパー１を使用せず事前に準備した球状トイレットペーパー７を粒状トイレットペーパー事前材料収納箱２７に補充しておく。
【００２８】粒状トイレットペーパー供給シャッター２６は粒状トイレットペーパーストックルーム２２に材料がなくなったり或いは減ったりした場合にこのシャッターが開いてトイレットペーパーストックルーム２２に供給する。
【００２９】粒状ペーパーの吹き出し管２８と温水放水管８をセパレート型にする方式も可能であり図７に示す。これは使用者側から見て好みの制御ができるため、より一層良いものを提供することができる。
＜第４実施形態＞
【００３０】使用者は温風の風量及び温度の設定ができる。
【００３１】加えて温風は通常の強弱或いは振動的強弱も設定を可能にする。
【符号の説明】
【００３２】    １    ロール状トイレットペーパー
２ａ  ローラーＡ
２ｂ  ローラーＢ
３ａ  ロール状粉砕歯Ａ
３ｂ  ロール状粉砕歯Ｂ
４    粉砕後のトイレットペーパー
５    成型回転外枠（粒状に成型）
６    成型回転内枠（粒状に成型）
７    成型後の粒状トイレットペーパー
８    温水放水管
９    洗浄管駆動モーター
１０    洗浄管（球状ペーパー及び放水パイプの二重構造パイプ）
１１    ファン（送風モーター）
１２    粉砕後の空気の流れ
１３    粉砕前の空気の流れ（ロール状のトイレットペーパーの吸い込み）
１４    でん部（人体）
１５    粒状ペーパーの吹き出し口
１６    放水の吐き出し口（従来一般に使用されているもの）
１７    フレキシブルチューブ
１８    排水口
１９    給水タンク（従来一般に使用されているもの）
２０    ヒーター（送風の温度用）
２１ａ  粉砕器モーターＡ
２１ｂ  粉砕器モーターＢ
２２    粒状トイレットペーパーストックルーム
２３    セパレート型に於ける球状ペーパーの吹き出し管
２４    セパレート型に於ける洗浄管
２５    粒状トイレットペーパー事前材料
２６    粒状トイレットペーパー供給シャッター
２７    粒状トイレットペーパー事前材料収納箱
２８    粒状トイレットペーパー吹き出し管
２９    粒状トイレットペーパー
【図１】
2017077448.tif 000003
【図２】
2017077448.tif 000004
【図３】
2017077448.tif 000005
【図４】
2017077448.tif 000006
【図５】
2017077448.tif 000007
【図６】
2017077448.tif 000008
【図７】
2017077448.tif 000009
【図８】
2017077448.tif 000010
【図９】
2017077448.tif 000011
【図１０】
2017077448.tif 000012